【事件の表示】
　特許第２７６３１３７号「キーボードユニットおよびこのキーボードユニットを備えた小形電子機器」の請求項１ないし４に係る特許に対する特許異議の申立てについて、次のとおり決定する。
【結　論】
　訂正を認める。
　特許第２７６３１３７号の請求項１ないし４に係る特許を取り消す。
【理　由】
第１　手続きの経緯
　本件特許第２７６３１３７号は、その発明について、平成１年６月２３日に特許出願され、平成１０年３月２７日に特許権の設定の登録がされたものであって、その後、請求項１ないし８に係る特許のうち、請求項１ないし４に係る特許について、平成１０年１２月１１日に梅沢靖幸より特許異議の申立てがされ、これにより、当審における合議の結果、平成１１年８月１３日付けで前記請求項１ないし４に係る特許について取消理由が通知され、その指定期間内である同年１１月２日に訂正請求がされたものである。
　
第２　訂正の適否
１　訂正の内容
　前記訂正請求に係る訂正の内容に関して、訂正請求書の「（３）訂正事項」の欄には、次のとおり記載されている。
「ａ．明細書の特許請求の範囲請求項１の記載を明瞭でない記載の訂正を目的として下記の通り訂正する。
　「（１）複数の電子部品が搭載されたプリント配線基板を内蔵する筐体と、前記ブリント配線基板の上方で前記筐体の上面に着脱可能に取り付けられるキーボードユニットと、を具備する小型電子機器において、
　前記キーボードユニットは、
　キーボード本体と、前記キーボード本体の上面に設けられる複数のキーと、
前記筐体の上面
　ｂ．特許請求の範囲の記載と発明の詳細な説明の記載との整合性を図るため、明瞭でない記載の釈明を目的として、平成８年３月１５日付け提出の手続補正書にて補正した明細書第６頁第５行目乃至７行目記載の「前記開口部に取り付けられる」を以下の通り訂正する。
　「前記筐体の上面に取り付けられる」と補正する。」（２頁１１行ないし３頁１行）
２　訂正の目的の適否、新規事項の有無及び拡張・変更の存否
（１）訂正事項ａについて
　ア　この訂正は、本来は、“前記筐体の上面”という正しい受けの語句で記載すべきところを、「前記開口部」と記載したため、発明の構成が技術的に不明瞭であったかないしは他の記載との関係において不合理が生じていたのを正すためのものであって、明りょうでない記載の釈明に相当するものであるから、特許法第１２０条の４第２項ただし書き第３号に掲げる事項を目的とするものである。
　イ　また、この訂正は、願書に添付した明細書又は図面に記載した事項の範囲内においてされているから、該訂正は、特許法第１２０条の４第３項において準用する同法第１２６条第２項の規定に適合するものである。
　ウ　更に、この訂正は、実質上特許請求の範囲を拡張し、又は変更するものではないから、特許法第１２０条の４第３項において準用する同法第１２６条第３項の規定に適合するものである。
　エ　前記アのとおり、この訂正は、特許請求の範囲の減縮を目的とするものではないから、特許法第１２０条の４第３項において準用する同法第１２６条第４項の規定の適用外のものである。
（２）訂正事項ｂについて
　ア　この訂正は、訂正された請求項１の記載と発明の詳細の対応箇所の記載とを整合させるためのものであって、明りょうでない記載の釈明に相当するから、特許法第１２０条の４第２項ただし書き第３号に掲げる事項を目的とするものである。
　イ　また、この訂正は、請求項１の訂正に付随するものであるから、その余の訂正要件については、前記（１）に言及したとおりである。
３　訂正の適否についての結論
　以上のとおりであって、前記訂正請求は拒絶の理由がないから、当該訂正は認める。
　
第３　特許異議申立て
１　特許異議申立ての概要
　特許異議申立人梅沢靖幸は、証拠として、特開昭６１−２９２８２４号公報、同６３−１８１２１５号公報及び実願昭６２−１４８２６２号（実開昭６４−５４１４１号）の願書に添付した明細書又は図面の内容を撮影したマイクロフィルムを、それぞれ、甲第１号証ないし３号証として提示すると共に、理由として、請求項１ないし４に係る発明は、いずれも、前記甲第１号証ないし３号証に記載された発明に基づいて当業者が容易に発明をすることができたものであって、前記請求項１ないし４に係る特許は、全て、特許法第２９条第２項の規定に違反してされたものであるから、同法第１１３条第２号の規定に該当し、取り消されるべきものである旨主張する。
２　請求項に係る発明
（１）本件発明１
　請求項１に係る発明（以下、「本件発明１」という。）は、訂正された明細書及び図面の記載からみて、その特許請求の範囲の１に記載された次の事項により構成されるものである。
「複数の電子部品が搭載されたプリント配線基板を内蔵する筐体と、前記プリント配線基板の上方で前記筐体の上面に着脱可能に取り付けられるキーボードユニットと、を具備する小形電子機器において、
　前記キーボードユニットは、
　キーボード本体と、
　前記キーボード本体の上面に設けられる複数のキーと、
　前記筐体の上面に取り付けられるとき前記プリント配線基板に対向するように前記キーボード本体の下面に固定されるシールド板と、
　前記キーボード本体と前記シールド板との間に配置され、前記キーの操作によるスイッチング入力のための回路パターンを具備するフィルム部材と、
　を具備していることを特徴とする小形電子機器。」
（２）本件発明２
　請求項２に係る発明（以下、「本件発明２」という。）は、同じく、特許請求の範囲の２に記載された次の事項により構成されるものである。
「前記シールド板は前記キーボード本体とほほ同じ大きさであることを特徴とする請求項１記載の小形電子機器。」
（３）本件発明３
　請求項３に係る発明（以下、「本件発明３」という。）は、同じく、特許請求の範囲の３に記載された次の事項により構成されるものである。
「筐体内のプリント配線基板の上方において、前記筐体の上面に着脱可能に取り付けられるキーボードユニットにおいて、         
　キーボード本体と、
　前記キーボード本体の上面に設けられる複数のキーと、
　前記筐体の上面に取り付けられるとき前記プリント配線基板と対向するように前記キーボード本体の下面に固定されるシールド板と、
　前記キーボード本体と前記シールド板との間に配置され、前記キーの操作によるスイッチング入力のための回路パターンを具備するフィルム部材と、
　を具備していることを特徴とするキーボードユニット。」
（４）本件発明４
　請求項４に係る発明（以下、「本件発明４」という。）は、同じく、特許請求の範囲の４に記載された次の事項により構成されるものである。
「プリント配線基板が内蔵され、上方が開口されたベースと、
　前記開ロ部の一部を覆う第１のカバーと、
　前記第１のカバーに覆われた前記開口部の残りの部分を着脱可能に覆うキーボードユニットと、
　を具備し、
　前記キーボードユニットは、
　キーボード本体と、
　前記キーボード本体の上面に設けられる複数のキーと、
　前記開□部に取り付けられるとき前記プリント配線基板と対向するように前記キーボード本体の下面に固定されるシールド板と、
　前記キーボード本体と前記シールド板との間に配置され、前記キーの操作によるスイッチング入力のための回路パターンを具備するフィルム部材と、
　前記キーボード本体の縁端を取り囲むと共に、着脱可能にキーボード本体に取り付けられる第２のカバーと、
　を有することを特徴とする小形電子機器。」
３　引用刊行物に記載された発明
（１）引用刊行物１
　当審における合議の結果通知した前記取消理由に刊行物１として引用した特開昭６１−２９２８２４号公報（昭和６１年１２月２３日特許庁発行（甲第１号証））には、電子タイプライター、ワードプロセッサ、コンピュータ等のキーボード装置に関する発明が記載されており、これについて、次の各事項が図面と共に記載されている。
　（ａ）「本キースイッチは、第１図（分解斜視図）に示すように、フレーム３から下方へ突出した位置決め突起５に、ラバースプリング１１の平板状ベース部１５に形成された開口１３を通すことによって、ラバースプリング１１がフレーム３に対して直接位置決めされているものである。以下各部材を詳細に説明する。
　タイプライターの上カバーを兼用するフレーム３には第２図に示すように、キー３１のキーステム３３を上下方向に案内支持する円筒状のキーガイド７が上方に延出して形成され、これと対をなしてラバースプリング１１の平板状ベース部１５を回路パターン基板２１との間に挟持する円筒形の下方延出部８が形成されている。更に、第４図（フレーム３の裏側）に示すごとく、位置決め突起５が、下方延出部８の第１列（第４図の上方から数える：以下同じ）と第２列との間に等間隔で３本形成され、第４列と第５列の間に同じく等間隔で３本形成されている。尚、９はボス部であって、下方延出部８の第１列と第２列の間及び第３列と第４列の間にそれぞれ等間隔をあけて４個形成されている。ボス部９へは支持板２５とフレーム３とを固定するビス３５が螺着される。」（２頁左下欄１３行ないし右下欄１５行）
　（ｂ）「回路パターン基板２１は、メンブレンスイッチ２３と支持板２５との重ね合せ体である。このメンブレンスイッチ２３は、弾性を有する２枚の絶縁フィルムをスペンサーを介在させて重ね合せたものであり、両絶縁フィルムは内面側の対向する位置に、常には電気的に絶縁された電極２４を含む導電層がパターン形成されている。一方支持板２５はメンブレンスイッチ２３を支持するとともにメンブレンスイッチ２３と他の回路とをシールドしている。この回路パターン基板２１にはフレーム３の位置決め突起５を通す開口２７，及びメンブレンスイッチ２３にはビス３５を通すばか穴の孔部２９及び支持板２５にはビス孔２８がそれぞれ対向する位置に形成されている。」（３頁左上欄１１行ないし右上欄４行）
　（ｃ）「上記の各部材の組付け状態を第３図（第１図の組付け状態を示したＩＩＩ−ＩＩＩ矢視線断面図）に基づいて説明すると、フレーム３の下方延出部８と回路パターン基板２１との間にラバースプリング１１の平板状ベース１５が挟持され、かつ、ラバースプリング１１はフレーム３の位置決め突起５によって水平方向の移動が制限された状態にある。そして、回路パターン基板２１とフレーム３とはビス３５で固定されている。」（３頁右上欄１５行ないし左下欄３行）
（２）引用刊行物２
　同じく、刊行物２として引用した特開昭６３−１８１２１５号公報（昭和６３年７月２６日特許庁発行（甲第２号証））には、電気製品などの操作部に使用されるメンブレンキーボードに関する発明が記載されており、これについて、次の事項が図面と共に記載されている。
　（ｄ）「第１図において、１は電気製品のシャーシ２の所定箇所に固定された操作盤で、その前面に形成された凹部１ａにメンブレンキーボード３が貼り付けられている。このメンブレンキーボード３は、スイッチ回路を有するスイッチ板体４と、このスイッチ板体４の表面および裏面を覆うように折曲げて設けられた文字シート５と、この文字シート５の裏面（スイッチ板体側の面）にしかもスイッチ板体４の表面および裏面全体を覆うように貼り付けられるとともにその一端部が文字シート５と一緒に延設されてシャーシ２にビス６により電気的に接続されたアルミ箔（金属箔の一例）７とから構成されている。なお、操作盤１の底面には入力回路や制御回路などが搭載されたプリント基板８が配置され、上記スイッチ板体４がコネクター９を介して接続されている。」（２頁右下欄６行ないし３頁左上欄１行）
（３）引用刊行物３
　ア　同じく、刊行物３として引用した実願昭６２−１４８２６２号（実開昭６４−５４１４１号）の願書に添付した明細書及び図面の内容を撮影したマイクロフィルム（昭和６４年（１９８９）４月４日特許庁発行（甲第３号証））には、キーボード部を改良したパーソナルコンピュータに関する発明が記載されており、これについて、次の各事項が図面と共に記載されている。
　（ｅ）「本考案に係るパーソナルコンピュータは、キーボード部と機器本体とを着脱可能なケーブルで接続するとともに、前記キーボード部を前記機器本体に着脱可能に取り付けた構成にしたものである。」（３頁５行ないし９行）
　（ｆ）「上記構成によれば、キーボード部を機器本体から取り出すことにより本体カバーを閉じた状態でキーボード部を操作することができる。したがって閉じた本体カバーに他の付属装置を配置して使用することもできる。またキーボード部とケーブルを機器本体から取り外して、例えばキー配列が異なる特種キーボード部と交換することも可能で、さらに機器本体内の機能拡張を行なうためのオプション増設も簡単に行なえる。」（３頁１１行ないし１９行）
　（ｇ）「第１図乃至第２図は本考案の一実施例に係るパーソナルコンピュータの概略構成を示すものである。
　第１図乃至第２図においてパーソナルコンピュータ１は、機器本体２、キーボード部３、本体カバーなどで構成されている。
　機器本体２内には演算回路（不図示）などを内蔵しており、またキーボード収納凹部５を前側部分に設けている。
　キーボード部３はケーブル６を介して機器本体２内の演算回路と電気接続された状態でキーボード収納凹部５内に着脱可能に取り付けられている。またケーブル６は機器本体２に対して着脱可能になっている。
　本体カバー４はヒンジ部７を介して機器本体２に回動可能に取り付けられているとともに内面にディスプレイ８を有している。このディスプレイ８は機器本体２内の演算回路と電気的に接続されておりキーボード部３から入力した情報を表示する。そしてヒンジ部７を支点に回動させてキーボード収納凹部５を覆って閉じた状態と、第１図乃至第２図に示すようにディスプレイ８をオペレータ側に表出させる開いた状態とに切り換え操作することができる構成となっている。」（４頁３行ないし５頁６行）
（なお、引用刊行物３には、前記に加えて、「機器本体２内のオプション、例えばＲＯＭ（Ｒｅａｄ　Ｏｎｌｙ　Ｍｅｍｏｒｙ）、メモリカードなどの増設も可能になる。」（６頁３行ないし６行）との記載もある。）
　イ　そこで、前記ア（ｅ）ないし（ｇ）の記載及び第１図ないし第２図の記載をこの分野の技術常識を加味して総合判断すれば、引用刊行物３について、次の各技術事項を挙げることができる。
　（Ａ）機器本体２は、（演算回路などを形成するための）複数の電子部品を搭載したプリント配線基板を内蔵するものであり、また、その前側部分にキーボード収納凹部５が設けられているものであること
　（引用刊行物３には、「機器本体２内には演算回路（不図示）などを内蔵しており」と記載されているが、そのような演算回路などを複数の電子部品を搭載した所謂’“プリント配線基板”により実現することは、引用刊行物３に記載されたパーソナルコンピュータにおける通常の技法であるから、機器本体２が、複数の電子部品を搭載したプリント配線基板を内蔵するものであることは、当業者ならば容易く想定できることである。なお、前記キーボード収納凹部５が機器本体２の前側部分に設けられていることについては、前記ア（ｇ）に摘記したとおりである。）
　（Ｂ）前記キーボード収納凹部５は、前記機器本体２の“上面”にキーボード部３が着脱可能に取り付けられるようになっていること
　（特に説明を要しないことである。）
　（Ｃ）前記キーボード収納凹部５は、キーボード部３が着脱可能に“覆う”ようになっていること
　（特に説明を要しないことである。）
　（Ｄ）前記キーボード部３は、複数のキーを前記キーボード部３の上面に有するものであること
　（特に説明を要しないことである。）
　（Ｅ）前記キーボード部３は、前記キーの操作によるスイッチング入力のための機構を前記複数のキーの下方に具備するものであること
　（引用刊行物３に記載されたパーソナルコンピュータにおいて、前記キーボード部３が、キーの操作時にケーブル６を介して機器本体２に送られる前記操作されたキーに対応するコードを生成するための機構、即ち、前記キーの操作によるスイッチング入力のための機構を前記複数のキーの下方に有するものでなければならないことは、当業者ならば容易く読み取れることである。）
　ウ　以上、イ（Ａ）ないし（Ｅ）の技術事項を、本件発明１、３及び４の構成にそれぞれ準じて整理すれば、引用刊行物３には、次の事項により構成される各発明が記載されているものということができる。
　（ア）引用発明１
　引用刊行物３に記載された発明の１（以下、「引用発明１」という。）は、次の事項により構成されるものである。
　複数の電子部品が搭載されたプリント配線基板を内蔵する機器本体（２）と、前記機器本体（２）の上面に着脱可能に取り付けられるキーボード部（３）と、を具備するパーソナルコンピュータにおいて、
　前記キーボード部（３）は、
　前記キーボード部（３）の上面に設けられる複数のキーと、
　前記複数のキーの下方に配置され、前記キーの操作によるスイッチング入力のための機構と、
　を具備しているパーソナルコンピュータ
　（イ）引用発明２
　引用刊行物３に記載された発明の２（以下、「引用発明２」という。）は、次の事項により構成されるものである。
　機器本体（２）の上面に着脱可能に取り付けられるキーボード部（３）において、
　前記キーボード部（３）の上面に設けられる複数のキーと、
　前記複数のキーの下方に配置され、前記キーの操作によるスイッチング入力のための機構と、
　を具備しているキーボード部（３）
　（ウ）引用発明３
　引用刊行物３に記載された発明の３（以下、「引用発明３」という。）は、次の事項により構成されるものである。
　プリント配線基板が内蔵され、前側部分の上面にキーボード収納凹部（５）が設けられた機器本体（２）と、
　前記キーボード収納凹部（５）を着脱可能に覆うキーボード部（３）と、
　を具備し、
　前記キーボード部（３）は、
　前記キーボード部（３）の上面に設けられる複数のキーと、
　前記複数のキーの下方に配置され、前記キーの操作によるスイッチング入力のための機構と、
　を有するパーソナルコンピュータ
４　請求項に係る特許の是非について
（１）請求項１に係る特許について
　ア　本件発明１と引用発明１とを対比する。
　（ア）本件発明１の「筐体」と引用発明１の「機器本体（２）」とは同義であり、本件発明１の「キーボードユニット」と引用発明１の「キーボード部（３）」とは、“前記筐体の上面に着脱可能に取り付けられるキーボードユニット”であって、“前記キーボードユニットの上面に設けられる複数のキーと、前記キーの下方に配置され、前記キーの操作によるスイッチング入力のための機構と、を具備している”点で等価であり、本件発明１の「小型電子機器」は、引用発明１の「パーソナルコンピュータ」を包摂する。
　（イ）したがって、両者は、
　複数の電子部品が搭載されたプリント配線基板を内蔵する筐体と、前記筐体の上面に着脱可能に取り付けられるキーボードユニットと、を具備する小型電子機器において、
　前記キーボードユニットは、
　前記キーボードユニットの上面に設けられる複数のキーと、
　前記キーの下方に配置され、前記キーの操作によるスイッチング入力のための機構と、
　を具備している小型電子機器
である点で一致し、次の２点で相違する。
〈相違点〉
　相違点１
　キーボードユニットが、本件発明１では、筐体に内蔵されるプリント配線基板の上方で前記筐体の上面に着脱可能に取り付けられるものであるのに対して、引用発明１では、筐体の上面に着脱可能に取り付けられるというに留まるものである点
　相違点２
　キーボードユニットが、本件発明１では、キーボード本体と、前記キーボード本体の上面に設けられる複数のキーと、前記キーボード本体の下面に固定されるシールド板と、前記キーボード本体と前記シールド板との間に配置され、前記キーの操作によるスイッチング入力のための回路パターンを具備するフィルム部材と、を具備しているのに対して、引用発明１では、前記キーボードユニットの上面に設けられる複数のキーと、前記キーの下方に配置され、前記キーの操作によるスイッチング入力のための機構と、を具備しているというに留まる点
　イ　そこで、前記相違点について検討する。
　（ア）相違点１について
　（アの１）先ず、本件発明１において、キーボードユニットの筐体への取り付け位置が、該筐体の上面にというだけでなく、該筐体に内蔵されるプリント配線基板の上方であることの理由について考察すると、訂正された明細書の発明の詳細な説明の（実施例）の項に、「筐体１の内部には複数の図示しない電子部品が実装されたプリント配線基板ＰＷＢ（第１図〜第３図、および第１３図中２点鎖線参照）が収納されている」（１１頁１行ないし２行）、「ベース２の前部周壁は筐体１の前部周壁をなしており、この周壁と前記前端壁３ａとにより筐体１の前部が形成されている。この前部の上面は全体にわたって開口されて、この開口には前記プリント配線基板ＰＷＢが臨むようになっている。」（１１頁８行ないし１１行）、「筐体１の前部には、この前部の上面全体にわたる開口を塞いで、言い換えれば、カバー３に覆われたベース２の上方開口部の残りの開口部分を覆ってキーボードユニット１１が着脱可能に取り付けられている。したがって、キーボードユニット１１は筐体１内のプリント配線基板ＰＷＢの上方に位置して筐体１の前記上面に着脱可能に取り付けられている。」（１１頁２０行ないし２４行）及び「こうしてキーボードユニット１１が筐体１の上面に取り付けられた後に、筐体１内のプリント配線基板ＰＷＢに増設メモリ等を増設する場合におけるキーボード回りの分解は、以上と逆の手順により実施すればよい。」（１４頁１５行ないし１７行）と記載されていることからすると、前記理由は、前記開口部分を介して前記筐体内のプリント配線基板に増設メモリ等を増設する場合の便宜のためであると推量される。
　（アの２）一方、前記３（３）アのなお書きに触れたように、引用刊行物３には、ＲＯＭやメモリカードなどの増設が可能になることが記載されており、該記載が、引用刊行物３に記載されたキーボード収納凹部５を介してＲＯＭやメモリカード等の増設が可能になることを意味していることは明らかであり、また、前記ＲＯＭやメモリカードが、プリント配線基板に差して使用されるものであることも、本件出願前に当業者に広く知られていることである。
　（ア−３）以上（ア−１）ないし（ア−２）を総合すると、引用発明１において、キーボードユニットを、筐体に内蔵されたプリント配線基板の上方で前記筐体の上面に着脱可能に取り付けられるものとすることは、本件出願前に当業者が容易に想到実施し得たことと言うしかない。
　（イ）相違点２について
　（イの１）先ず、キーボードの基本的な構造について言及すると、引用刊行物１、実願昭５５−１２７９３１号（実開昭５７−５０１３４号）の願書に添付した明細書及び図面の内容を撮影したマイクロフィルム、同５７−１１４１２６号（実開昭５９−２０３３９号）の願書に添付した明細書及び図面の内容を撮影したマイクロフィルム及び同５８−１４８０８１号（実開昭６０−５７１６０号）の願書に添付した明細書及び図面の内容を撮影したマイクロフィルムに記載された事項からすると、キーボードの基本的な構造として、キーボード本体と、該キーボード本体の上面に設けられる複数のキーと、前記キーボード本体の下方に配置され、前記キーの操作によるスイッチング入力のための回路パターンを具備するフィルム部材とからなるものは、本件出願前に当業者にごく普通に知られていたものであると言うことができる。
　（イの２）そして、前記構造を有するキーボードが、キー操作に伴うスイッチングノイズを発生するものであることも、本件出願前に当業者に熟知されていることであるところ、引用刊行物１ないし２に記載された事項よりすると、前記キーボードにおけるキー操作に伴うスイッチングノイズが筐体内部の他の回路へ影響を及ぼさないようにするために、前記キーの操作によるスイッチング入力のための回路パターンを具備するフィルム部材の下方にシールド板を配置することは、本件出願前に当業者が必要に応じて適宜に採用し得た設計事項の範囲内のことと言うべきである。
　（イの３）以上（イ−１）ないし（イ−２）を総合すると、引用発明１において、キーボードユニットを、キーボード本体と、前記キーボード本体の上面に設けられる複数のキーと、前記キーボード本体の下面に固定されるシールド板と、前記キーボード本体と前記シールド板との間に配置され、前記キーの操作によるスイッチング入力のための回路パターンを具備するフィルム部材と、を具備するように構成することは、本件出願前に当業者が容易に想到実施し得たことと言う外はない。
　ウ　以上のとおりであるから、本件発明１は、引用発明１に基づいて本件出願前に当業者が容易に発明をすることができたものに相当する。
　エ　よって、本件発明１は、特許法第２９条第２項の規定により特許を受けることができない発明であるから、本件の請求項１に係る特許は、拒絶の査定をしなければならない特許出願に対してされたものである。
（２）請求項２に係る特許について
　ア　引用発明１において、キーボードユニットを、キーボード本体と、前記キーボード本体の上面に設けられる複数のキーと、前記キーボード本体の下面に固定されるシールド板と、前記キーボード本体と前記シールド板との間に配置され、前記キーの操作によるスイッチング入力のための回路パターンを具備するフィルム部材と、を具備するものとした場合に、前記シールド板の大きさを前記キーボード本体の大きさと異ならせる格別の理由がないところ、前記シールド板の果たす役割を考慮すれば、該シールド板の大きさと前記キーボード本体の大きさをほぼ同じとすることは、本件出願前における当業者の技術常識的配慮に相当すると言うべきである。
　イ　また、被引用の請求項１に係る発明については、前記（１）に認定のとおりである。
　ウ　したがって、本件発明２は、引用発明１に基づいて本件出願前に当業者が容易に発明をすることができたものに相当する。
　エ　よって、本件発明２は、特許法第２９条第２項の規定により特許を受けることができない発明であるから、本件の請求項２に係る特許は、拒絶の査定をしなければならない特許出願に対してされたものである。
（３）請求項３に係る特許について
　ア　本件発明３と引用発明２とを対比すると、本件発明３の「キーボードユニット」と引用発明２の「キーボード部（３）」とは、“前記筐体の上面に着脱可能に取り付けられるキーボードユニット”であって、“前記キーボードユニットの上面に設けられる複数のキーと、前記キーの下方に配置され、前記キーの操作によるスイッチング入力のための機構と、を具備している”点で等価であるから、両者は、
　筐体の上面に着脱可能に取り付けられるキーボードユニットにおいて、
　前記キーボードユニットの上面に設けられる複数のキーと、
　前記キーの下方に配置され、前記キーの操作によるスイッチング入力のための機構と、
　を具備しているキーボードユニット
である点で一致し、次の点で相違する。
〈相違点〉
　相違点１
　キーボードユニットが、本件発明３では、筐体内のプリント配線基板の上方において、前記筐体の上面に着脱可能に取り付けられるものであるのに対して、引用発明２では、筐体の上面に着脱可能に取り付けられるというに留まるものである点
　相違点２
　キーボードユニットが、本件発明３では、キーボード本体と、前記キーボード本体の上面に設けられる複数のキーと、前記キーボード本体の下面に固定されるシールド板と、前記キーボード本体と前記シールド板との間に配置され、前記キーの操作によるスイッチング入力のための回路パターンを具備するフィルム部材と、を具備しているのに対して、引用発明２では、前記キーボードユニットの上面に設けられる複数のキーと、前記キーの下方に配置され、前記キーの操作によるスイッチング入力のための機構と、を具備しているというに留まる点
　イ　そこで、前記相違点について検討する。
　（ア）相違点１について
　これについては、前記（１）イ（ア）に認定したのと同様である。
　（イ）相違点２について
　これについては、前記（１）イ（イ）に認定したとおりである。
　ウ　したがって、本件発明３は、引用発明２に基づいて本件出願前に当業者が容易に発明をすることができたものに相当する。
　エ　よって、本件発明３は、特許法第２９条第２項の規定により特許を受けることができない発明であるから、本件の請求項３に係る特許は、拒絶の査定をしなければならない特許出願に対してされたものである。
（４）請求項４に係る特許について
　ア　本件発明４と引用発明３とを対比する。
　（ア）本件発明４の「プリント配線基板が内蔵され、上方が開口されたベースと、前記開ロ部の一部を覆う第１のカバー」と引用発明３の「プリント配線基板が内蔵され、前側部分の上面にキーボード収納凹部（５）が設けられた機器本体（２）」とは、“プリント配線基板が内蔵され、上方の一部が開口された筐体”である点で等価であり、本件発明４の「キーボードユニット」と引用発明３の「キーボード部（３）」とは、“前記開口された部分を着脱可能に覆うキーボードユニット”であって、“前記キーボードユニットの上面に設けられる複数のキーと、前記キーの下方に配置され、前記キーの操作によるスイッチング入力のための機構と、を具備している”点で等価であり、本件発明４の「小型電子機器」は、引用発明３の「パーソナルコンピュータ」を包摂する。
　（イ）したがって、両者は、
　プリント配線基板が内蔵され、上方の一部が開口された筐体と、前記開口された部分を着脱可能に覆うキーボードユニットと、を具備し、
　前記キーボードユニットは、
　前記キーボードユニットの上面に設けられる複数のキーと、
　前記キーの下方に配置され、前記キーの操作によるスイッチング入力のための機構と、
　を具備している小型電子機器
である点で一致し、次の点で相違する。
＜相違点＞
　相違点１
　筐体が、本件発明４では、プリント配線基板が内蔵され、上方が開口されたベースと、前記開ロ部の一部を覆う第１のカバーとからなるものであるのに対して、引用発明３では、プリント配線基板が内蔵されてはいるものの、前側部分の上面にキーボード収納凹部（５）が設けられているというものである点
　相違点２
　キーボードユニットが、本件発明４では、前記第１のカバーに覆われた前記開口部の残りの部分を着脱可能に覆うものであるのに対して、引用発明３では、筐体の前側部分に設けられたキーボード収納凹部（５）を着脱可能に覆うものである点
　相違点３
　キーボードユニットが、本件発明４では、キーボード本体と、前記キーボード本体の上面に設けられる複数のキーと、前記キーボード本体の下面に固定されるシールド板と、前記キーボード本体と前記シールド板との間に配置され、前記キーの操作によるスイッチング入力のための回路パターンを具備するフィルム部材と、前記キーボード本体の縁端を取り囲むと共に、着脱可能にキーボード本体に取り付けられる第２のカバーと、を有するのに対して、引用発明３では、前記キーボード部（３）の上面に設けられる複数のキーと、前記複数のキーの下方に配置され、前記キーの操作によるスイッチング入力のための機構と、を有するというに留まる点
　イ　そこで、前記相違点について検討する。
　（ア）相違点１について
　（ア−１）前記ア（イ）に認定したとおり、本件発明４と引用発明３とは、筐体が、プリント配線基板が内蔵され、上方の一部が開口されたものである点で基本的に一致するから、この点の相違は、要するに、筐体を上下２つの部材で構成するかしないかの差異に帰着する。
　（ア−２）そして、引用刊行物１、実願昭５７−１１４１２６号（実開昭５９−２０３３９号）の願書に添付した明細書及び図面の内容を撮影したマイクロフィルム、及び同６１−１４３３０９号（実開昭６３−５３１１９号）の願書に添付した明細書及び図面の内容を撮影したマイクロフィルムに記載された事項からすると、前記筐体を、上下２つの部材で構成することは、本件出願前における当業者の周知慣用手段に相当すると言うべきである。
　（前記プリント配線基板を始めとする各種電子部材を前記筐体内に実装ないし装着する製造工程上の便宜を考慮すると、当然のことであると言うこともできる。）
　（ア−３）してみると、引用発明３において、筐体を、プリント配線基板が内蔵され、上方が開口されたベースと、前記開ロ部の一部を覆う第１のカバーとからなるものとすることは、本件出願前に当業者が容易に想到実施し得たことと言わざるを得ない。
　（イ）相違点２について
　この点の相違は、筐体の構造上の差異に依るものであって、引用発明３において、キーボードユニットを、前記第１のカバーに覆われた前記開口部の残りの部分を着脱可能に覆うものとすることは、筐体を、プリント配線基板が内蔵され、上方が開口されたベースと、前記開ロ部の一部を覆う第１のカバーとからなるものとすることに伴う必然の構成変更に相当することである。
　（ウ）相違点３について
　（ウ−１）先ず、引用発明３において、キーボードユニットを、キーボード本体と、前記キーボード本体の上面に設けられる複数のキーと、前記キーボード本体の下面に固定されるシールド板と、前記キーボード本体と前記シールド板との間に配置され、前記キーの操作によるスイッチング入力のための回路パターンを具備するフィルム部材と、を具備するように構成することについて触れると、それについては、前記（１）イ（イ）に認定したとおりである。
　（ウ−２）また、実願昭５５−３９１０１号（実開昭５６−１４０８５７号）願書に添付した明細書及び図面の内容を撮影したマイクロフィルム及び同６２−３８８４１号（実開昭６３−１４７７３３号）の願書に添付した明細書及び図面の内容を撮影したマイクロフィルムに記載された事項からすると、前記構成のキーボードユニットにおいて、キーボード本体の縁端を取り囲むと共に、着脱可能にキーボード本体に取り付けられる第２のカバーを有するように構成することは、本件出願前に当業者が必要に応じて適宜に採用すべき設計事項の範囲に属する事項であると言うべきである。
　（ウ−３）以上（ウ−１）ないし（ウ−２）を総合すると、引用発明３において、キーボードユニットを、キーボード本体と、前記キーボード本体の上面に設けられる複数のキーと、前記キーボード本体の下面に固定されるシールド板と、前記キーボード本体と前記シールド板との間に配置され、前記キーの操作によるスイッチング入力のための回路パターンを具備するフィルム部材と、前記キーボード本体の縁端を取り囲むと共に、着脱可能にキーボード本体に取り付けられる第２のカバーと、を有するように構成することは、本件出願前に当業者が容易に想到実施し得たことと言う外はない。
　ウ　以上のとおりであるから、本件発明４は、引用発明３に基づいて本件出願前に当業者が容易に発明をすることができたものに相当する。
　エ　よって、本件発明４は、特許法第２９条第２項の規定により特許を受けることができない発明であるから、本件の請求項４に係る特許は、拒絶の査定をしなければならない特許出願に対してされたものである。
　
第４　結び
　以上のとおりであって、平成１１年１１月２日付け訂正請求に係る訂正については認め、該訂正された請求項１ないし４に係る特許については、いずれも、拒絶の査定をしなければならない特許出願に対してされたものであるから、取り消すものとし、よって、結論のとおり決定する。
【異議決定日】
平成１３年３月８日（２００１．３．８）
【訂正の要旨】
＜訂正の要旨＞
　ａ．明細書の特許請求の範囲請求項１の記載を明りょうでない記載の釈明を目的として以下のとおり訂正する。
「（１）複数の電子部品が搭載されたプリント配線基板を内蔵する筺体と、前記ブリント配線基板の上方で前記筺体の上面に着脱可能に取り付けられるキーボードユニットと、を具備する小型電子機器において、
　前記キーボードユニットは、
　キーボード本体と、前記キーボード本体の上面に設けられる複数のキーと、
前記筺体の上面
　ｂ．特許請求の範囲の記載と発明の詳細な説明の記載との整合性を図るため、明りょうでない記載の釈明を目的として、平成８年３月１５日付け提出の手続補正書にて補正した明細書第６頁第５行目乃至７行目記載の「前記開口部に取り付けられる」を以下のとおり訂正する。
　「前記筺体の上面に取り付けられる」
（５４）【発明の名称】
キーボードユニットおよびこのキーボードユニットを備えた小形電子機器
（５７）【特許請求の範囲】
　１．複数の電子部品が搭載されたプリント配線基板を内蔵する筺体と、前記プリント配線基板の上方で前記筺体の上面に着脱可能に取り付けられるキーボードユニットと、を具備する小形電子機器において、
　前記キーボードユニットは、
　キーボード本体と、
　前記キーボード本体の上面に設けられる複数のキーと、
　前記
筺体の上面
　前記キーボード本体と前記シールド板との間に配置され、前記キーの操作によるスイッチング入力のための回路パターンを具備するフィルム部材と、
　を具備していることを特徴とする小形電子機器。
　２．前記シールド板は前記キーボード本体とほぼ同じ大きさであることを特徴とする請求項１記載の小形電子機器。
　３．筺体内のプリント配線基板の上方において、前記笛体の上面に着脱可能に取り付けられるキーボードユニットにおいて、
　キーボード本体と、
　前記キーボード本体の上面に設けられる複数のキーと、
　前記筺体上面に取り付けられるとき前記プリント配線基板と対向するように前記キーボード本体の下面に固定されるシールド板と、
　前記キーボード本体と前記シールド板との間に配置され、前記キーの操作によるスイッチング入力のための回路パターンを具備するフィルム部材と、
　を具備していることを特徴とするキーボードユニット。
　４．プリント配線基板が内蔵され、上方が開口されたベースと、
前記開口部の一部を覆う第１のカバーと、
　前記第１のカバーに覆われた前記開口部の残りの部分を着脱可能に覆うキーボードユニットと、
　を具備し、
　前記キーボードユニットは、
　キーボード本体と、
　前記キーボード本体の上面に設けられる複数のキーと、
　前記開口部に取り付けられるとき前記プリント配線基板と対向するように前記キーボード本体の下面に固定されるシールド板と、
　前記キーボード本体と前記シールド板との間に配置され、前記キーの操作によるスイッチング入力のための回路パターンを具備するフィルム部材と、
　前記キーボード本体の縁端を取り囲むと共に、着脱可能にキーボード本体に取り付けられる第２のカバーと、
　を有することを特徴とする小形電子機器。
　５．プリント配線基板が内蔵され、上方が開口されたベースと、
　前記開口部の一部を覆う第１のカバーと、
　前記第１のカバーに覆われた前記開口部の残りの部分を着脱可能に覆うキーボードユニットと、
　前記ベースの底面から前記キーボードユニットを着脱可能に固定するねじと、
　を具備し、
　前記キーボードユニットは、
　下面に前記ねじを受けるねじ受け部を有するキーボード本体と、
　前記キーボード本体の上面に設けられる複数のキーと、
　前記開口部に取り付けられるとき前記プリント配線基板と対向するように前記キーボード本体の下面に固定されるシールド板と、
　前記キーボード本体と前記シールド板との間に配置され、前記キーの操作によるスイッチング入力のための回路パターンを具備するフィルム部材と、
　前記キーボード本体の縁端を取り囲むとともに、着脱可能にキーボード本体に取り付けられる第２カバーと、
を有することを特徴とする小形電子機器。
　６．プリント配線基板が内蔵されるとともに、上方が開口されたベースと、前記開口部の一部を覆う第１のカバーと、
　下面にねじ受け部を有するとともに、前記第１のカバーに覆われた前記開口部の残りの部分を着脱可能に覆うキーボードユニットと、
　前記ベースの底面を介して、前記キーボードユニットのねじ受け部にねじ止めされ、前記キーボードユニットを着脱可能に固定するねじと、を具備し、
　前記キーボードユニットは、
　キーボード本体と、
　前記キーボード本体の上面に設けられる複数のキーと、
　前記開口部に取り付けられるとき前記プリント配線基板と対向するように前記キーボード本体の下面に固定されるシールド板と、
　前記キーボード本体と前記シールド板との間に配置され、前記キーの操作によるスイッチング入力のための回路パターンを具備するフィルム部材と、
　前記キーボード本体の縁端を取り囲むとともに、着脱可能にキーボード本体に取り付けられる第２のカバーと、
を有することを特徴とする小形電子機器。
　７．複数の電子部品が搭載されたプリント配線基板が内蔵する筺体と、前記プリント配線基板の上方で前記筺体の上面に着脱可能に取り付けられるキーボードユニットと、前記ベースに前記ベースの底面を介して前記キーボードユニットを着脱可能に取り付けるねじと、を具備する小形電子機器において、
　前記キーボードユニットは、
　キーボード本体と、
　前記キーボード本体の上面に設けられる複数のキーと、
　前記プリント配線基板に対向するように前記キーボード本体の下面に固定されるシールド板と、
　前記キーボード本体と前記シールド板との間に配置され、前記キーの操作によるスイッチング入力のための回路パターンを具備するフィルム部材と、
　前記キーボードユニットの下面から突出して前記ねじが固定されるねじ受け部と、
　を有することを特徴とする小形電子機器。
　８．プリント配線基板が内蔵され、上方が開口されたベースと、
　前記開口部の一部を覆う第１のカバーと、
　前記第１のカバーに覆われた前記開口部の残りの部分を着脱可能に覆うキーボードユニットと、
　前記ベースの底面から前記キーボードユニットを着脱可能に固定するねじと、
を具備し、
　前記キーボードユニットは、
　下面に前記ねじを受けるねじ受け部を有するキーボード本体と、
　前記キーボード本体の上面に設けられる複数のキーと、
　前記開口部に取り付けられるとき前記プリント配線基板と対向するように前記キーボード本体の下面に固定されるシールド板と、
　前記キーボード本体と前記シールド板との間に配置され、前記キーの操作によるスイッチング入力のための回路パターンを具備するフィルム部材と、
　前記キーボード本体の縁端を取り囲むとともに、着脱可能にキーボード本体に取り付けられる第２のカバーと、
　前記キーボードユニットの下面から突出し、前記ねじが固定されるねじ受け部と、
　を具備していることを特徴とする小形電子機器。
【発明の詳細な説明】
［発明の目的］
（産業上の利用分野）
　本発明は、例えばラップトップ形パーソナルコンピュータ、ワードプロセッサーなどの小形電子機器とこの機器が備えるキーボードユニットに関する。
（従来の技術）
　一般的に、パーソナルコンピュータなどの筺体の前部に設けられたキーボードは、そのキーを筺体の前部上面に設けた開口から突出させて、筺体の前部に配置されている。そして、従来のキーボードは、回路パターンを有する硬質のキーボード用プリント配線基板の上面に多数のキーを取付けるとともに、前記基板の下面に重ねてシールド板を取付けて形成されていた。キー操作に伴うスイッチングノイズが前記筺体内のプリント配線基板に影響することを防止するシールド板の周部は、前記配線基板よりも外に張出されている。そして、この張出し部分を筺体の前部に形成したねじ受けボスに重ねて、これらを上方よりねじ止めしてキーボードを筺体前部に取り付け、そのねじ止め部はキーボードの周囲を覆って設けられる筺体のベースに取り付けられるカバーで隠されるようになっていた。
（発明が解決しようとする課題）
　しかし、従来においては、キーボードは、そのシールド板を筺体にねじ止めしてから、このシールド板にキーボード用プリント配線基板を固定した後、筺体のベースにカバーを固定して組立てをしているため、組み立ての手間が掛かるいう問題がある。また、キーボード用プリント配線基板にはねじ受け部を設けることができないので、その代わりにシールド板の周部に張出し部を設けてそこを筺体にねじ止めしているために、こうしたキーボード用プリント基板より大形なシールド板を備えたキーボードは大形であり、ひいては筺体を大形にせざるを得ないという問題もある。また、キーボードのねじ止め部を覆い隠すカバーを、キーボードの取り付け後に筺体のベースに取り付けるため、筺体を分解を伴わない限りキーボードの取り外しができず、したがって、キーボード用プリント配線基板の交換等に手間がかかるという問題がある。
　本発明の目的は、筺体への取り付けが容易で組み立で性を向上できるキーボードユニットおよびこのキーボードユニットを備えた小形電子機器を得ることにある。
　また、本発明の他の目的は、小形にできるキーボードユニットおよびこのキーボードユニットを備えた小形電子機器を得ることにある。
　さらに、本発明のさらに他の目的は、キーボードユニットの取り外しが容易でこのユニットのメンテナンスがし易い小形電子機器を得ることにある。
［発明の構成］
（課題を解決するための手段）
　前記目的を達成するために、請求項１の発明に係る小形電子機器は、複数の電子部品が搭載されたプリント配線基板を内蔵する筺体と、前記プリント配線基板の上方で前記筺体の上面に着脱可能に取り付けられるキーボードユニットと、を具備する小形電子機器において、
　前記キーボードユニットは、
　キーボード本体と、前記キーボード本体の上面に設けられる複数のキーと、前記
筺体の上面
　また、前記目的を達成するために、請求項２の発明に係る小形電子機器は、前記シールド板は前記キーボード本体とほぼ同じ大きさであることを特徴としている。
　また、前記目的を達成するために、請求項３の発明に係るキーボードユニットは、筺体内のプリント配線基板の上方において、前記筺体の上面に着脱可能に取り付けられるキーボードユニットにおいて、
　キーボード本体と、前記キーボード本体の上面に設けられる複数のキーと、前記筺体上面に取り付けられるとき前記プリント配線基板と対向するように前記キーボード本体の下面に固定されるシールド板と、前記キーボード本体と前記シールド板との間に配置され、前記キーの操作によるスイッチング入力のための回路パターンを具備するフィルム部材と、を具備していることを特徴としている。
　また、前記目的を達成するために、請求項４の発明に係る小形電子機器は、プリント配線基板が内蔵され、上方が開口されたベースと、前記開口部の一部を覆う第１のカバーと、前記第１のカバーに覆われた前記開口部の残りの部分を着脱可能に覆うキーボードユニットと、を具備し、
　前記キーボードユニットは、
　キーボード本体と、前記キーボード本体の上面に設けられる複数のキーと、前記開口部に取り付けられるとき前記プリント配線基板と対向するように前記キーボード本体の下面に固定されるシールド板と、前記キーボード本体と前記シールド板との間に配置され、前記キーの操作によるスイッチング入力のための回路パターンを具備するフィルム部材と、前記キーボード本体の縁端を取り囲むと共に、着脱可能にキーボード本体に取り付けられる第２のカバーと、を有することを特徴としている。
　また、前記目的を達成するために、請求項５の発明に係る小形電子機器は、プリント配線基板が内蔵され、上方が開口されたべースと、前記開口部の一部を覆う第１のカバーと、前記第１のカバーに覆われた前記開口部の残りの部分を着脱可能に覆うキーボードユニットと、前記ペースの底面から前記キーボードユニットを着脱可能に固定するねじと、を具備し、
　前記キーボードユニットは、
　下面に前記ねじを受けるねじ受け部を有するキーボード本体と、前記キーボード本体の上面に設けられる複数のキーと、前記開口部に取り付けられるとき前記プリント配線基板と対向するように前記キーボード本体の下面に固定されるシールド板と、前記キーボード本体と前記シールド板との間に配置され、前記キーの操作によるスイッチング入力のための回路パターンを具備するフィルム部材と、前記キーボード本体の縁端を取り囲むとともに、着脱可能にキーボード本体に取り付けられる第２カバーと、を有することを特徴としている。
　また、前記目的を達成するために、請求項６の発明に係る小形電子機器は、プリント配線基板が内蔵されるとともに、上方が開口されたベースと、前記開口部の一部を覆う第１のカバーと、下面にねじ受け部を有するとともに、前記第１のカバーに覆われた前記開口部の残りの部分を着脱可能に覆うキーボードユニットと、前記ベースの底面を介して、前記キーボードユニットのねじ受け部にねじ止めされ、前記キーボードユニットを着脱可能に固定するねじと、を具備し、
　前記キーボードユニットは、
　キーボード本体と、前記キーボード本体の上面に設けられる複数のキーと、前記開口部に取り付けられるとき前記プリント配線基板と対向するように前記キーボード本体の下面に固定されるシールド板と、前記キーボード本体と前記シールド板との間に配置され、前記キーの操作によるスイッチング入力のための回路パターンを具備するフィルム部材と、前記キーボード本体の縁端を取り囲むとともに、着脱可能に前記キーボード本体に取り付けられる第２のカバーと、を有することを特徴としている。
　また、前記目的を達成するために、請求項７の発明に係る小形電子機器は、複数の電子部品が搭載されたプリント配線基板が内蔵する筺体と、前記プリント配線基板の上方で前記筺体の上面に着脱可能に取り付けられるキーボードユニットと、前記ベースに前記ペースの底面を介して前記キーボードユニットを着脱可能に取り付けるねじと、を具備する小形電子機器において、
　前記キーボードユニットは、
　キーボード本体と、前記キーボード本体の上面に設けられる複数のキーと、前記プリント配線基板に対向するように前記キーボード本体の下面に固定されるシールド板と、前記キーボード本体と前記シールド板との間に配置され、前記キーの操作によるスイッチング入力のための回路パターンを具備するフィルム部材と、前記キーボードユニットの下面から突出して前記ねじが固定されるねじ受け部と、を具備していることを特徴としている。
　また、前記目的を達成するために、請求項８の発明に係る小形電子機器は、プリント配線基板が内蔵され、上方が開口されたベースと、前記開口部の一部を覆う第１のカバーと、前記第１のカバーに覆われた前記開口部の残りの部分を着脱可能に覆うキーボードユニットと、前記ベースの底面から前記キーボードユニットを着脱可能に固定するねじと、を具備し、
　前記キーボードユニットは、
　下面に前記ねじを受けるねじ受け部を有するキーボード本体と、前記キーボード本体の上面に設けられる複数のキーと、前記開口部に取り付けられるとき前記プリント配線基板と対向するように前記キーボード本体の下面に固定されるシールド板と、前記キーボード本体と前記シールド板との間に配置され、前記キーの操作によるスイッチング入力のための回路パターンを具備するフィルム部材と、前記キーボード本体の縁端を取り囲むとともに、着脱可能にキーボード本体に取り付けられる第２のカバーと、前記キーボードユニットの下面から突出し、前記ねじが固定されるねじ受け部と、を有することを特徴としている。
（作用）
　請求項１の発明においては、筺体上面に着脱可能に取り付けられるキーボードユニットが、キーが上面に設けられるキーボード本体、フィルム部材、およびシールド板をユニット化したものであるため、その筺体への取り付けが容易となり、組み立て性を向上できる。
　請求項２の発明においては、シールド板がキーボード本体とほぼ同じ大きさであるので、キーボードユニットが小形となり、それに伴いこのユニットが取り付けられる筺体も小形にできる。
　請求項３の発明においては、筺体上面に着脱可能に取り付けられるキーボードユニットが、キーが上面に設けられるキーボード本体、フィルム部材、およびシールド板をユニット化したものであるため、その筺体への取り付けを容易にできる。
　請求項４の発明においては、第１のカバーで覆われたベース上面の開口部のの残りの開口部分に着脱可能であるとともに、第２のカバーに対しても着脱可能なキーボードユニットが、キーが上面に設けられるキーボード本体、フィルム部材、およびシールド板をユニット化したものであるため、その筺体への取り付けが容易となり、組み立て性を向上できる。
　請求項５の発明においては、第１のカバーで覆われたベース上面の開口部の残りの開口部分に着脱可能であるとともに、第２のカバーに対しても着脱可能なキーボードユニットが、キーが上面に設けられるキーボード本体、フィルム部材、およびシールド板をユニット化したものであるため、その筺体への取り付けが容易となり、組み立て性を向上できるとともに、キーボード本体がその下面に有したねじ受け部にベースの底面からねじ込まれたねじのみでキーボードユニットを取り付けているから、このねじを外すことによりキーボードユニットを容易に外すことができる。
　請求項６の発明においては、第１のカバーで覆われたベース上面の開口部の残りの開口部分に着脱可能であるとともに、第２のカバーに対しても着脱可能なキーボードユニットが、キーが上面に設けられるキーボード本体、フィルム部材、およびシールド板をユニット化したものであるため、その筺体への取り付けが容易となり、組み立て性を向上できるとともに、キーボードユニットがその下面に有するねじ受け部にベースの底面からねじ込まれたねじのみでキーボードユニットを着脱可能に取り付けているから、このねじを外すことによりキーボードユニットを容易に外すことができる。
　請求項７の発明においては、筺体上面に着脱可能に取り付けられるキーボードユニットが、キーが上面に設けられるキーボード本体、フィルム部材、およびシールド板をユニット化したものであるため、その筺体への取り付けが容易となり、組み立て性を向上できる。しかも、キーボードユニットの下面に突出したねじ受けにベースの底面からねじ込まれたねじのみでキーボードユニットを着脱可能に取り付けているから、このねじを外すことによりキーボードユニットを容易に外すことができる。
　請求項８の発明においては、第１のカバーで覆われたベース上面の開口部の残りの開口部分に着脱可能であるとともに、第２のカバーに対しても着脱可能なキーボードユニットが、キーが上面に設けられるキーボード本体、フィルム部材、およびシールド板をユニット化したものであるため、その筺体への取り付けが容易となり、組み立て性を向上できる。しかも、キーボードユニットがその下面に有したねじ受けにベースの底面からねじ込まれたねじのみでキーボードユニットを着脱可能に取り付けているから、このねじを外すことによりキーボードユニットを容易に外すことができる。
（実施例）
　以下、本発明を図面に示すノートタイプのラップトップ形パーソナルコンピュータに実施した例について説明する。
　第１１図から第１３図中１は平面形状が略四角形状をなす合成樹脂製の筺体である。この筺体１は、上面が全体にわたって開口されたベース２と、この上方が開口されたベース２の前記開口部の一部、例えば開口部の後部を覆ってねじ止めにより被着された第１のカバー部となるカバー３とから形成されている。筺体１の内部には複数の図示しない電子部品が実装されたプリント配線基板ＰＷＢ（第１図〜第３図、および第１３図中２点鎖線参照）が収納されているとともに、フロッピーディスク駆動装置（図示しない）などが収納されている。
　カバー３の前端壁３ａは略垂直状になっており、その下部複数箇所には掛合部４（第２図、第１３図参照）が夫々設けられている。図示の掛合部４は前端壁３ａの下端に設けた溝により形成してあるが、これに代えて孔又は前面が開放された凹部により形成しても差支えない。さらに、ペース２の前部周壁は筺体１の前部周壁をなしており、この周壁と前記前端壁３ａとにより筺体１の前部が形成されている。この前部の上面は全体にわたって開口されて、この開口には前記プリント配線基板ＰＷＢが臨むようになっている。
　なお、第１図、第３図および第１３図中５は前端壁３ａの下端から前方に向けて一体に延出された連結部である。これは、ベース２に対応して一体に突設されたねじ受け凸部６に重ねられ、この凸部６にインサートされたナット７にその上方から螺合されるねじ８を介してベース２に固定されている。そして、第１図に示す連結部５は、後述するキーボード枠１３の後枠部１３ｄを下方より支持するのに用いられるようになっている。また、第１図、第３図および第１３図中９はベース２の前縁部底面から上向きに一体に突設されたねじ通し凸部である。
　筺体１の前部には、この前部の上面全体にわたる開口を塞いで、言い換えれば、カバー３に覆われたペース２の上方開口部の残りの開口部分を覆ってキーボードユニット１１が着脱可能に取付けられている。したがって、キーボードユニット１１は筺体１内のプリント配線基板ＰＷＢの上方に位置して筺体１の前部上面に着脱可能に取り付けられている。このキーボードユニット１１は、キーボード装置１２と、この縁端を包囲する第２のカバーとしてのキーボード枠１３とから形成されている。
　キーボード装置１２は、第４図から第６図などに示すようにキーボード本体１４と、複数のキー１５と、フイルム部材１６と、シールド板１７とを有して形成されている。キーボード本体１４は合成樹脂により平面形状が長方形状をなす平板状に成形されており、その上面には略全体にわたって多数のキー１５が取付けられている。なお、１４ａは標準キーとファンクションキーとの間を仕切って設けた化粧バーで、これはキーボード本体１４の上面に一体に突出して形成されている。
　そして、キーボード本体１４の前部下面にはねじ受け部としての複数ねじ受けボス１８が一体に突設されている。これらのボス１８は、キー１５群の投影面積内、換言すれば、キー１５群の配設範囲の内側において設けられているとともに、前記ねじ通し凸部９と対応して設けられている。なお、各ねじ受けボス１８には第１図に示すようにナット１９がインサートされている。
　フイルム部材１６はキーボード本体１４の下面全体にわたって重ねられており、これにはキー操作によるスイッチング入力のための回路パターン（図示しない）が設けられている。また、シールド板１７はキー操作に伴うスイッチングノイズが、筺体１内の前記プリント配線基板ＰＷＢに影響することを防止するために用いられている。このシールド板１７はキーボード本体１４と略同じ大きさであって、これはフイルム部材１６をキーボード本体１４との間に挟んで、この本体１４の下面に固定されている。なお、符号２０はシールド板１７およびフイルム部材１６を通ってキーボード本体１４に螺合されたキーボード装置組立て用のねじを示している。しかも、シールド板１７の一部には側面視Ｌ状をなす曲げ部１７ａが設けられ、この曲げ部１７ａは前記ねじ受けボス１８の後面および底面を覆っている。
　そして、このような構造のキーボード装置１２の周縁部には第４図等に示すように複数の切欠部２１が形成されている。また、前記ベース２の底面から前記ねじ通し凸部９を上方に挿通して、曲げ部１７ａの底面部を通るねじ２２が、キーボード装置１２のねじ受けボス１８に螺合されており、このねじ２２の締付けにより筺体１の前部にキーボード装置１２が固定されるようになっている。
　前記キーボード枠１３はＡＢＳ樹脂などの合成樹脂により四角枠状に成形されたものであり、その詳細は第７図から第１０図に示されている。この枠１３はその前枠部１３ａおよび左右両側枠部１３ｂ，１３ｃわたって互いに連続する嵌合溝条２５を有している。そして、第１図から第３図に示すようにキーボード枠１３は、その後枠部１３ｄを前記前端壁３ａ前面に当接させるとともに、嵌合溝条２５を前記ペース２の前部周壁に嵌合して設けられている。なお、この状態で、後枠部１３ｄの前記連結部５上に載置するようになっている。
　また、キーボード枠１３、その内周面をなす環状の内周壁部２６を備えている。この壁部２６には、前記切欠部２１の通過を許して、この切欠部２１の縁部下面に掛合する複数の掛合爪２７が一体に突設されている。そして、掛合爪２７と内周壁部２６の下面２６ａとは上下方向に寸法Ａだけ離間しているが、この寸法Ａはキーボード装置１２の板状部の厚さ（つまりキーボード本体１４と、フイルム部材１６とシールド板１７との重なり厚さ）に略等しく設定されており、それによって内周壁部２６の下面２６ａはキーボード本体１４の周縁部上面に当接されるようにしてある。したがって、キーボード装置１２はその周縁部を掛合爪２７と前記内周壁部２６の下面２６ａとの間に挟持されることにより、キーボード枠１３の内側に一体化されている。
　さらに、キーボード枠１３の後枠部１３ｄの後面には、前記掛合部４に挿入して掛合する複数の掛合凸部２８が後方に向けて一体に突設されている。これら掛合凸部２８と掛合部４との掛合により、キーボード枠１３の後枠部１３ｄが筺体１に固定されるようになっている。
　次ぎに、筺体１の前部に対するキーボードユニット１１の取付けについて説明する。
　まず、キーボード装置１２とキーボード枠１３とを一体化してキーボードユニット１１を得る。この組立ては、キーボード枠１３を多少弾性変形させながら、この枠１３の内周に突設された複数の掛合爪２７に、キーボード装置１２の切欠部２１を夫々通過させることにより、キーボード装置１２をキーボード枠１３の内側に嵌め込んで実施すればよい。
　そうすると、掛合爪２７が切欠部２１の縁部下面に掛合すると同時に、キーボード枠１３の内周壁部２６の下面２６ａがキーボード枠１３の周縁部上面に当接する。したがって、キーボード装置１２の板状周縁部が前記内周壁部２６と掛合爪２７とで上下から挟まれて、キーボード装置１２とキーボード枠１３とがねじ部品などを用いることなく連結される。
　この後、キーボードユニット１１を筺体１に仮止めする。つまり、キーボード枠１３の掛合凸部２８を、筺体１のカバー３の前端壁３ａの掛合部４に挿入して掛合するとともに、この掛合凸部２８を有したキーボード枠１３の後枠部１３ｄを前記前端壁３ａに当接させる。また、同時に、キーボード枠１３の左右両側枠部１３ｂ，１３Ｃおよび前枠部１３ａに渡って設けられた嵌合溝条２５を、筺体１のベース２の前部周壁に嵌合させる。そうすると、キーボードユニット１１は、筺体１の前部に仮止めされるとともに、筺体１の前部上面に全体にわたって形成された開口を覆って設けられる。
　最後に、仮止め状態のキーボードユニット１１を筺体１に固定する。つまり、ベース２のねじ通し凸部９を通して、このベース２の下面側からねじ２２を挿入して、このねじ２２をキーボード本体１４の下面に一体に突設されたねじ受けボス１８に螺合する。そうすると、このねじ２２の締付け力によりキーボードユニット１１が筺体１の前部上面に固定される。
　こうしてキーボードユニット１１が筺体１の上面に取り付けられた後に、筺体１内のプリント配線基板ＰＷＢに増設メモリ等を増設する場合におけるキーボード回りの分解は、以上と逆の手順により実施すればよい。
　以上説明した筺体１の上面に対するキーボードユニット１１の取り付けおよび取り外しの手順から明らかなように、筺体１内のプリント配線基板ＰＷＢの上方において笛体１の上面に着脱可能に取り付けられるキーボード装置１２は、複数のキー１５が上面に設けられるキーボード本体１４、フィルム部材１６、およびシールド板１７がユニット化されたものであるため、その筺体１への取り付けが容易であり、組み立で性がよい。また、キーボードユニット１１が備えるキーボード本体１４の下面に有したねじ受けボス１８に、ベース２の底面からねじ込まれたねじ２２のみでキーボードユニット１１を取り付けているから、このねじ２２を外すことによりキーボードユニット１１を、これに着脱可能なキーボード枠１３とともに容易に外すことができる。このように筺体１の分解を伴うことなくキーボードユニット１１を容易に取り外すことができ、したがって、フィルム部材１６等の交換が容易に行えるものである。
　しかも、以上のようなキーボードユニット回りの構造においては、キーボード枠１３が、ねじ２２の締付けにより、キーボード本体１４と掛合爪２７との引掛かりを介してベース２の前部周縁に押付けられるとともに、このキーボード枠１３の後枠部１３ｄは掛合凸部の掛合部４への引掛かりにより上方へ外れることなく取付けられる。したがって、このキーボード枠１３にはこれを筺体１に固定するためにねじ受けボスを必要としない。このため、キーボード枠１３の各枠部１３ａ〜１３ｃの幅を小さくできる。
　その上、キーボードユニット１１のキーボード装置１２にはキーボード用プリント配線基板を使用することなく、それに代えて合成樹脂製のキーボード本体１４とこの下面に重なる回路パターン付きのフィルム部材１６を用いたことにより、その樹脂製キーボード本体１４には、これに一体にねじ受けボス１８を形成できる。そのため、キーボードユニット１１を筺体１に固定するための部分をシールド板１７に設ける必要がなくなり、このシールド板１７をキーボード本体１４と略同じ大きさにできる。よって、キーボードユニット１１の大きさを小さくできる。
　したがって、これらの理由によりキーボードユニット回りを小さくできるから、それに伴って全体を小形化できる。
　また、第１１図から１３図中３１はカバー部２に設けた枢着凸部３２に対して回動可能に枢着されたディスプレイハウジングで、この内部には液晶ディスプレイ等のフラットパネルディスプレイ３３が収納されている。このハウジング３１は、これを倒伏させたときにキーボードユニット１１を蓋する大きさに形成されている。なお、第１１図中３４は着脱可能な電池パック、３５はオプション部品の配設予定部を覆う着脱可能なオプションカバーで、これらの上面と倒伏させた状態の前記ハウジング３１の上面とは面一に連なるようになっている。
　なお、本発明はディスプレイハウジングが倒伏不可能に起立されている小形電子機器にも適用できることは勿論である。
［発明の効果］
　以上説明した本発明によれば、以下の効果がある。
　請求項１の発明に係る小形電子機器、および請求項３の発明に係るキーボードユニットによれば、キーが上面に取り付けられるキーボード本体、フィルム部材、シールド板がユニット化されているため、筺体への取り付けが容易で組み立て性を向上できるキーボードユニットおよびこのキーボードユニットを備えた小形電子機器を提供できる。
　請求項２の発明に係る小形電子機器得によれば、小形にできるキーボードユニットおよびこのキーボードユニットを備えた小形電子機器を提供できる。
　請求項４〜請求項８の発明に係る小形電子機器によれば、キーが上面に取り付けられるキーボード本体、フィルム部材、シールド板がユニット化されているため、筺体への取り付けが容易で組み立て性を向上できるキーボードユニット付き小形電子機器を提供できるとともに、キーボードユニットが筺体のベースの底面からねじ止めされているだけであるので、キーボードユニットの取り外しが容易であり、そのため、このユニットのフィルム部材の交換等のようなメンテナンスがし易い小形電子機器を提供できる。
【図面の簡単な説明】
　図面は本発明の一実施例を示し、
　第１図から第３図はキーボードユニット回りの夫々異なる部分の断面図、
　第４図はキーボード装置の平面図、
　第５図はキーボード装置の正面図、
　第６図はキーボード装置の側面図、
　第７図はキーボード枠の平面図、
　第８図は第７図中のＶＩＩＩ−ＶＩＩＩ線に沿う断面図、
　第９図は第７図中ＩＸ−ＩＸ線に沿う断面図、
　第１０図は第７図中Ｘ−Ｘ線に沿う断面図、
　第１１図は小形電子機器全体をそのディスプレイハウジングを閉じて示す斜視図、
　第１２図は小形電子機器全体をそのディスプレイハウジングを開いて示す斜視図、
　第１３図は一部を分解して示す小形電子機器の斜視図である。
　１……筺体、２……ベース、３……カバー（第１のカバー）、１１……キーボードユニット、１２……キーボード装置、１３……キーボード枠（第２のカバー）、１４……キーボード本体、１５……キー、１６……フィルム部材、１７……シールド板、１８……ねじ受けボス（ねじ受け部）、２２……ねじ、ＰＷＢ……プリント配線基板。